(57)【要約】【課題】所望の出力装置の判別を容易にさせることができるコンテンツ出力システム、出力装置、テレビジョン受信機、及び携帯通信装置を提供する。【解決手段】携帯通信装置１は、複数のテレビジョン受信機（出力装置）２の何れかへデータを送信し、コンテンツを出力させる。携帯通信装置１は、データの送信先を選択する際に、各テレビジョン受信機２の固有情報を示す電子透かしを含む音声を複数のテレビジョン受信機２に出力させる。音量が最大になっている電子透かしが示す固有情報に対応するテレビジョン受信機２は、携帯通信装置１に最も近いテレビジョン受信機２と判別される。このテレビジョン受信機２をデータの送信先に定めることにより、携帯通信装置１を有する使用者から最も近いテレビジョン受信機２でコンテンツが出力されるようになる。【選択図】図１
2013225809.tif 000002
【特許請求の範囲】
【請求項１】
携帯通信装置と、該携帯通信装置からデータを送信され、該データに基づいたコンテンツを出力する一又は複数の出力装置とを含むコンテンツ出力システムにおいて、
前記携帯通信装置は、
個別のコンテンツの出力を指示する信号を前記一又は複数の出力装置へ送信する手段を備え、
前記出力装置は、
受信した前記信号に従って、前記出力装置に対応した個別のコンテンツを出力する手段を備え、
前記携帯通信装置は、更に、
前記出力装置が出力したコンテンツを取得する取得手段と、
該取得手段が取得したコンテンツに対応する出力装置を特定する特定手段と
を備えることを特徴とするコンテンツ出力システム。
【請求項２】
前記出力装置に対応した個別のコンテンツは、音声コンテンツであり、
前記携帯通信装置は、
前記取得手段が取得した音声コンテンツの音量を求める手段と、
前記特定手段が複数の出力装置を特定した場合に、各出力装置に対応する音声コンテンツの音量が大きい順に、前記複数の出力装置に順位を付ける手段と
を更に備えることを特徴とする請求項１に記載のコンテンツ出力システム。
【請求項３】
前記携帯通信装置は、
前記順位に応じて前記複数の出力装置を区別した前記複数の出力装置のリストを表示する手段を更に備えること
を特徴とする請求項２に記載のコンテンツ出力システム。
【請求項４】
前記携帯通信装置は、
前記複数の出力装置の内で一番目の順位の出力装置をデータ送信対象に定める手段を更に備えること
を特徴とする請求項２又は３に記載のコンテンツ出力システム。
【請求項５】
前記携帯通信装置は、
前記複数の出力装置の内の一の出力装置へデータを送信している状態で、繰り返し、特定の音声コンテンツの出力を指示する信号を前記一の出力装置へ送信する手段と、
前記取得手段が取得した前記音声コンテンツの音量を記憶する記憶手段と、
該記憶手段が記憶している音量と前記取得手段が取得した前記音声コンテンツの音量とを比較する手段と、
前記記憶手段が記憶している音量に比べて前記取得手段が取得した前記音声コンテンツの音量が所定量以上減少している場合に、前記複数の出力装置へ個別の音声コンテンツの出力を指示する信号を送信する手段と、
前記取得手段が取得した各出力装置に対応する音声コンテンツの音量が大きい順に、前記複数の出力装置の夫々に順位を付ける手段と、
前記複数の出力装置の内で一番目の順位の出力装置を、データ送信対象に定める手段と
を備えることを特徴とする請求項２から４までの何れか一つに記載のコンテンツ出力システム。
【請求項６】
各出力装置に個別のコンテンツは、各出力装置に固有の情報を示す電子透かしを含むコンテンツであること
を特徴とする請求項１から５までの何れか一つに記載のコンテンツ出力システム。
【請求項７】
前記出力装置はテレビジョン受信機であること
を特徴とする請求項１から６までの何れか一つに記載のコンテンツ出力システム。
【請求項８】
データを受信し、受信したデータに基づいたコンテンツを出力する出力装置において、
自機に固有の固有情報を記憶している手段と、
固有の内容を含むコンテンツの出力を指示する信号を受信する手段と、
該手段が受信した前記信号に従って、前記固有情報を示す電子透かしを含むコンテンツを生成する手段と、
該手段が生成したコンテンツを出力する手段と
を備えることを特徴とする出力装置。
【請求項９】
テレビジョン放送を受信する手段と、表示部と、音声出力部と、データを受信する手段と、該手段が受信したデータに基づいた映像コンテンツ又は音声コンテンツを前記表示部又は前記音声出力部に出力させる手段とを備えるテレビジョン受信機において、
自機に固有の固有情報を記憶している手段と、
固有の内容を含むコンテンツの出力を指示する信号を受信する手段と、
該手段が受信した前記信号に従って、前記固有情報を示す電子透かしを含む映像コンテンツ又は音声コンテンツを生成する手段と、
該手段が生成した映像コンテンツ又は音声コンテンツを前記表示部又は前記音声出力部に出力させる手段と
を備えることを特徴とするテレビジョン受信機。
【請求項１０】
外部装置にコンテンツを出力させるためのデータを前記外部装置へ送信する携帯通信装置において、
個別のコンテンツの出力を指示する信号を一又は複数の外部装置へ送信する手段と、
外部装置が出力したコンテンツを取得する取得手段と、
該取得手段が取得したコンテンツに対応する外部装置を特定する特定手段と
を備えることを特徴とする携帯通信装置。
【請求項１１】
各外部装置に個別のコンテンツは、音声コンテンツであり、
前記取得手段が取得した音声コンテンツの音量を求める手段と、
前記特定手段が複数の外部装置を特定した場合に、各外部装置に対応する音声コンテンツの音量が大きい順に、前記複数の外部装置の夫々に順位を付ける手段と
を更に備えることを特徴とする請求項１０に記載の携帯通信装置。
【請求項１２】
前記複数の外部装置の内の一の外部装置へデータを送信している状態で、繰り返し、特定の音声コンテンツの出力を指示する信号を前記一の外部装置へ送信する手段と、
前記取得手段が取得した前記音声コンテンツの音量を記憶する記憶手段と、
該記憶手段が記憶している音量と前記取得手段が取得した前記音声コンテンツの音量とを比較する手段と、
前記記憶手段が記憶している音量に比べて前記取得手段が取得した前記音声コンテンツの音量が所定量以上減少している場合に、前記複数の外部装置へ個別の音声コンテンツの出力を指示する信号を送信する手段と、
前記取得手段が取得した各外部装置に対応する音声コンテンツの音量が大きい順に、前記複数の外部装置の夫々に順位を付ける手段と、
前記複数の外部装置の内で一番目の順位の外部装置を、データ送信対象に定める手段と
を更に備えることを特徴とする請求項１１に記載の携帯通信装置。
【発明の詳細な説明】
【技術分野】
【０００１】
本発明は、携帯電話機等の携帯通信装置に保存してあるコンテンツをテレビジョン受信機等の出力装置で出力するためのコンテンツ出力システム、出力装置、テレビジョン受信機、及び携帯通信装置に関する。
【背景技術】
【０００２】
携帯電話機又はスマートフォン等の携帯通信装置は、画像又は音楽等のコンテンツを保存することができる。また、テレビジョン受信機又はオーディオ装置等の出力装置には、ホームネットワーク等の通信ネットワークに接続され、通信ネットワーク経由でデータを受信し、受信したデータに基づいたコンテンツを出力することができるものがある。そこで、ＤＬＮＡ（Digital Living Network Alliance ）等の通信技術を用いて携帯通信装置と出力装置との間で通信を行い、携帯通信装置に保存してあるコンテンツを出力装置で出力する技術が開発されている。特許文献１には、通信ネットワークに接続されている機器に携帯通信装置からデータを送信して出力させるための技術が開示されている。
【先行技術文献】
【特許文献】
【０００３】
【特許文献１】特開２０１１−１２０１４４号公報
【発明の概要】
【発明が解決しようとする課題】
【０００４】
携帯通信装置と通信可能な出力装置は、複数存在することがある。例えば、ホームネットワークに接続されたテレビジョン受信機は家庭内に複数設置されていることがある。このような状態では、携帯通信装置を使用する使用者は、携帯通信装置からデータを送信すべき出力装置を選択する必要がある。従来、データを送信することができる出力装置のリストを携帯通信装置で表示することは可能であるものの、表示されたリストと実際の出力装置との対応づけが困難である。具体的には、使用者から最も近い出力装置にコンテンツを出力させようとした場合に、最も近い出力装置がリスト中のどの出力装置であるのかが判別しがたく、利便性が低いという問題がある。
【０００５】
本発明は、斯かる事情に鑑みてなされたものであって、その目的とするところは、実際にコンテンツを出力装置に出力させることにより所望の出力装置の判別を容易にさせることができるコンテンツ出力システム、出力装置、テレビジョン受信機、及び携帯通信装置を提供することにある。
【課題を解決するための手段】
【０００６】
本発明に係るコンテンツ出力システムは、携帯通信装置と、該携帯通信装置からデータを送信され、該データに基づいたコンテンツを出力する一又は複数の出力装置とを含むコンテンツ出力システムにおいて、前記携帯通信装置は、個別のコンテンツの出力を指示する信号を前記一又は複数の出力装置へ送信する手段を備え、前記出力装置は、受信した前記信号に従って、前記出力装置に対応した個別のコンテンツを出力する手段を備え、前記携帯通信装置は、更に、前記出力装置が出力したコンテンツを取得する取得手段と、該取得手段が取得したコンテンツに対応する出力装置を特定する特定手段とを備えることを特徴とする。
【０００７】
本発明に係るコンテンツ出力システムは、前記出力装置に対応した個別のコンテンツは、音声コンテンツであり、前記携帯通信装置は、前記取得手段が取得した音声コンテンツの音量を求める手段と、前記特定手段が複数の出力装置を特定した場合に、各出力装置に対応する音声コンテンツの音量が大きい順に、前記複数の出力装置に順位を付ける手段とを更に備えることを特徴とする。
【０００８】
本発明に係るコンテンツ出力システムは、前記携帯通信装置は、前記順位に応じて前記複数の出力装置を区別した前記複数の出力装置のリストを表示する手段を更に備えることを特徴とする。
【０００９】
本発明に係るコンテンツ出力システムは、前記携帯通信装置は、前記複数の出力装置の内で一番目の順位の出力装置をデータ送信対象に定める手段を更に備えることを特徴とする。
【００１０】
本発明に係るコンテンツ出力システムは、前記携帯通信装置は、前記複数の出力装置の内の一の出力装置へデータを送信している状態で、繰り返し、特定の音声コンテンツの出力を指示する信号を前記一の出力装置へ送信する手段と、前記取得手段が取得した前記音声コンテンツの音量を記憶する記憶手段と、該記憶手段が記憶している音量と前記取得手段が取得した前記音声コンテンツの音量とを比較する手段と、前記記憶手段が記憶している音量に比べて前記取得手段が取得した前記音声コンテンツの音量が所定量以上減少している場合に、前記複数の出力装置へ個別の音声コンテンツの出力を指示する信号を送信する手段と、前記取得手段が取得した各出力装置に対応する音声コンテンツの音量が大きい順に、前記複数の出力装置の夫々に順位を付ける手段と、前記複数の出力装置の内で一番目の順位の出力装置を、データ送信対象に定める手段とを備えることを特徴とする。
【００１１】
本発明に係るコンテンツ出力システムは、各出力装置に個別のコンテンツは、各出力装置に固有の情報を示す電子透かしを含むコンテンツであることを特徴とする。
【００１２】
本発明に係るコンテンツ出力システムは、前記出力装置はテレビジョン受信機であることを特徴とする。
【００１３】
本発明に係る出力装置は、データを受信し、受信したデータに基づいたコンテンツを出力する出力装置において、自機に固有の固有情報を記憶している手段と、固有の内容を含むコンテンツの出力を指示する信号を受信する手段と、該手段が受信した前記信号に従って、前記固有情報を示す電子透かしを含むコンテンツを生成する手段と、該手段が生成したコンテンツを出力する手段とを備えることを特徴とする。
【００１４】
本発明に係るテレビジョン受信機は、テレビジョン放送を受信する手段と、表示部と、音声出力部と、データを受信する手段と、該手段が受信したデータに基づいた映像コンテンツ又は音声コンテンツを前記表示部又は前記音声出力部に出力させる手段とを備えるテレビジョン受信機において、自機に固有の固有情報を記憶している手段と、固有の内容を含むコンテンツの出力を指示する信号を受信する手段と、該手段が受信した前記信号に従って、前記固有情報を示す電子透かしを含む映像コンテンツ又は音声コンテンツを生成する手段と、該手段が生成した映像コンテンツ又は音声コンテンツを前記表示部又は前記音声出力部に出力させる手段とを備えることを特徴とする。
【００１５】
本発明に係る携帯通信装置は、外部装置にコンテンツを出力させるためのデータを前記外部装置へ送信する携帯通信装置において、個別のコンテンツの出力を指示する信号を一又は複数の外部装置へ送信する手段と、外部装置が出力したコンテンツを取得する取得手段と、該取得手段が取得したコンテンツに対応する外部装置を特定する特定手段とを備えることを特徴とする。
【００１６】
本発明に係る携帯通信装置は、各外部装置に個別のコンテンツは、音声コンテンツであり、前記取得手段が取得した音声コンテンツの音量を求める手段と、前記特定手段が複数の外部装置を特定した場合に、各外部装置に対応する音声コンテンツの音量が大きい順に、前記複数の外部装置の夫々に順位を付ける手段とを更に備えることを特徴とする。
【００１７】
本発明に係る携帯通信装置は、前記複数の外部装置の内の一の外部装置へデータを送信している状態で、繰り返し、特定の音声コンテンツの出力を指示する信号を前記一の外部装置へ送信する手段と、前記取得手段が取得した前記音声コンテンツの音量を記憶する記憶手段と、該記憶手段が記憶している音量と前記取得手段が取得した前記音声コンテンツの音量とを比較する手段と、前記記憶手段が記憶している音量に比べて前記取得手段が取得した前記音声コンテンツの音量が所定量以上減少している場合に、前記複数の外部装置へ個別の音声コンテンツの出力を指示する信号を送信する手段と、前記取得手段が取得した各外部装置に対応する音声コンテンツの音量が大きい順に、前記複数の外部装置の夫々に順位を付ける手段と、前記複数の外部装置の内で一番目の順位の外部装置を、データ送信対象に定める手段とを更に備えることを特徴とする。
【００１８】
本発明においては、携帯通信装置からテレビジョン受信機等の出力装置へデータを送信し、出力装置はデータに基づいたコンテンツを出力する。データの送信対象の出力装置を選択するために、携帯通信装置は、出力装置に個別のコンテンツを出力させ、取得したコンテンツに対応する出力装置を特定する。これにより携帯通信装置がデータを送信できる出力装置と設置されている実際の出力装置とを対応させることができる。
【００１９】
また、本発明においては、携帯通信装置は、取得した音声コンテンツの音量を求め、音量が大きい順に複数の出力装置に順位を付ける。音量に基づいて、携帯通信装置から近い順に複数の出力装置が順位付けられる。
【００２０】
また、本発明においては、順位に応じて各出力装置を区別した出力装置のリストが携帯通信装置に表示される。これにより、携帯通信装置に近い出力装置が判別される。
【００２１】
また、本発明においては、携帯通信装置は、一番目の順位の出力装置をデータの出力対象として定める。これにより、携帯通信装置から最も近い出力装置がデータを送信され、コンテンツを出力する。
【００２２】
また、本発明においては、携帯通信装置は、出力装置に音声コンテンツを出力させて最も近いテレビジョン受信機を繰り返し判定し、最も近いテレビジョン受信機をデータの送信先とする。携帯通信装置が移動しても、常時、携帯通信装置に最も近いテレビジョン受信機でコンテンツが出力される。
【００２３】
また、本発明においては、出力装置に出力させる個別のコンテンツは、出力装置の固有の情報を示す電子透かしを含むコンテンツである。使用者には気づかれずに、個別のコンテンツの出力及び取得が行われる。
【発明の効果】
【００２４】
本発明にあっては、携帯通信装置に最も近い出力装置を選んでコンテンツを出力させることを容易に行うことが可能となり、コンテンツ出力システムの利便性が向上する等、優れた効果を奏する。
【図面の簡単な説明】
【００２５】
【図１】コンテンツ出力システムの構成を示す模式図である。
【図２】テレビジョン受信機の内部の機能構成を示すブロック図である。
【図３】携帯通信装置の内部の機能構成を示すブロック図である。
【図４】携帯通信装置からコンテンツデータを送信する対象のテレビジョン受信機を選択する処理の手順を示すフローチャートである。
【図５】テレビジョン受信機のリストの例を示す模式図である。
【図６】固有情報が一致したテレビジョン受信機を強調したリストの例を示す模式図である。
【図７】順位に応じてテレビジョン受信機を強調したリストの例を示す模式図である。
【図８】携帯通信装置がデータの送信対象を変更する処理の手順を示すフローチャートである。
【発明を実施するための形態】
【００２６】
以下本発明をその実施の形態を示す図面に基づき具体的に説明する。
（実施の形態１）
図１は、コンテンツ出力システムの構成を示す模式図である。コンテンツ出力システムは、持ち運び可能なＰＣ（パーソナルコンピュータ）、携帯電話機又はスマートフォン等の携帯通信装置１と、複数のテレビジョン受信機２とを含んでいる。テレビジョン受信機２は本発明の出力装置である。携帯通信装置１と複数のテレビジョン受信機２とは、ホームネットワーク等の通信ネットワーク３を介してデータの送受信が可能となっている。通信ネットワーク３は、無線通信及び有線通信を可能にするルータ、ハブ及びアクセスポイント等の通信デバイスから構成されており、ＤＬＮＡ等の通信技術により複数の機器間の相互通信を可能にしている。例えば、通信ネットワーク３はアクセスポイントを含んでおり、携帯通信装置１とアクセスポイントとの間で無線通信を行い、アクセスポイントとテレビジョン受信機２との間で有線通信を行うことにより、携帯通信装置１及びテレビジョン受信機２は通信ネットワーク３を介してデータを互いに送受信する。携帯通信装置１は、通信ネットワーク３を介してテレビジョン受信機２へコンテンツデータを送信し、テレビジョン受信機２は、受信したコンテンツデータに基づいて映像又は音声からなるコンテンツを出力することができる。通信ネットワーク３には、レコーダ又はＰＣ等の他の機器も接続されている。通信ネットワーク３は、インターネット等のより外部の通信ネットワークに接続された形態であってもよい。
【００２７】
図２は、テレビジョン受信機２の内部の機能構成を示すブロック図である。テレビジョン受信機２は、演算を行う演算部、演算に伴う情報を記憶するＲＡＭ（Random Access Memory）、演算に必要なプログラムを記憶するＲＯＭ（Read Only Memory）等からなり、テレビジョン受信機２に必要な情報処理を実行する処理部２１を備えている。処理部２１は、複数の部品で構成されていてもよい。処理部２１には、通信ネットワーク３との間で通信を行う通信部２４と、テレビジョン放送による放送信号を受信するチューナ２６とが接続されている。通信部２４は、例えば、Ｗｉ−Ｆｉ（登録商標）のインタフェースである。処理部２１は、通信部２４で受信したデータ又はチューナ２６が受信した放送信号から、映像信号及び音声信号を生成する処理を行う。また、処理部２１には、液晶パネル又はＥＬ（Electro Luminescence）パネル等の表示デバイスを含んだ表示部２２と、スピーカ部２３とが接続されている。処理部２１は、映像信号に基づいた映像を表示部２２に表示させ、音声信号に基づいた音声をスピーカ部２３に出力させる処理を行う。なお、テレビジョン受信機２は、音声信号を出力するインタフェースを備え、外付けのスピーカから音声を出力する形態であってもよい。また、テレビジョン受信機２は、表示部２２が分離した形態であってもよい。
【００２８】
処理部２１は、電子透かしを生成する処理を行う電子透かし生成部２１１を含んでいる。電子透かし生成部２１１は、特定の情報を示す電子透かしを含んだ映像を表す映像信号、又は電子透かしを含んだ音声を表す音声信号を生成する処理を行う。処理部２１が電子透かしを含んだ映像を表示部２２に表示させることにより、テレビジョン受信機２は電子透かしを含む映像コンテンツを出力する。また、処理部２１が電子透かしを含んだ音声をスピーカ部２３に出力させることにより、テレビジョン受信機２は電子透かしを含む音声コンテンツを出力する。電子透かし生成部２１１は、ハードウェアであってもよく、処理部２１によるソフトウェア処理によって実現される形態であってもよい。また、電子透かし生成部２１１は、処理部２１とは別に設けられてあってもよい。更に、処理部２１には、不揮発性のメモリ又はハードディスク等の記憶部２５とが接続されている。記憶部２５は、ＭＡＣ（Media Access Control）アドレス又は型番等、テレビジョン受信機２に固有の固有情報を記憶している。
【００２９】
図３は、携帯通信装置１の内部の機能構成を示すブロック図である。携帯通信装置１は、演算を行う演算部、演算に伴う情報を記憶するＲＡＭ、演算に必要なプログラムを記憶するＲＯＭ等からなり、携帯通信装置１に必要な情報処理を実行する処理部１１を備えている。処理部１１は、複数の部品で構成されていてもよい。また、携帯通信装置１は、通信ネットワーク３との間で通信を行う第１通信部１４１と、公衆回線網又はインターネット等の外部の通信ネットワークとの間で通信を行う第２通信部１４２とを備えている。例えば、第１通信部１４１はＷｉ−Ｆｉ（登録商標）のインタフェースであり、第２通信部１４２はＬＴＥ（Long Term Evolution ）のインタフェースである。処理部１１には、第１通信部１４１と第２通信部１４２とを切り替える切り替え部１４０が接続されている。切り替え部１４０は、第１通信部１４１及び第２通信部１４２の何れか一方を選択し、処理部１１は、選択された通信部を利用した通信を行う。
【００３０】
処理部１１には、液晶パネル又はＥＬパネル等の表示デバイスを含んだ表示部１２と、スピーカ部１３とが接続されている。処理部１１は、映像を表示部１２に表示させ、音声をスピーカ部１３に出力させる処理を行う。また、処理部１１には、マイクロフォンを含んだマイク部１６と、撮像素子を含んだカメラ部１７とが接続されている。携帯通信装置１は、マイク部１６を用いて、テレビジョン受信機２が出力した音声コンテンツを取得することができる。また、携帯通信装置１は、カメラ部１７を用いて、テレビジョン受信機２が出力した映像コンテンツを取得することができる。処理部１１は、マイク部１６が取得した音声を電気信号に変換した音声信号、及びカメラ部１７が取得した映像を電気信号に変換した映像信号を受け付ける。
【００３１】
処理部１１は、マイク部１６で取得した音声又はカメラ部１７で取得した映像に含まれる電子透かしを検出する電子透かし検出部１１１を含んでいる。電子透かし検出部１１１は、マイク部１６からの音声信号及びカメラ部１７からの映像信号から電子透かしのデータを抽出し、電子透かしが示す情報を復号する処理を行う。電子透かし検出部１１１は、ハードウェアであってもよく、処理部１１によるソフトウェア処理によって実現される形態であってもよい。また、電子透かし検出部１１１は、処理部１１とは別に設けられてあってもよい。更に、処理部１１には、半導体メモリ又はハードディスク等の記憶部１５と、タッチパネル又はキーパッド等の入力部１８が接続されている。記憶部１５は、映像又は音声からなるコンテンツを表すコンテンツデータを記憶している。入力部１８は、使用者からの操作を受け付ける。
【００３２】
次に、コンテンツ出力システムの動作を説明する。図４は、携帯通信装置１からコンテンツデータを送信する対象のテレビジョン受信機２を選択する処理の手順を示すフローチャートである。携帯通信装置１の処理部１１は、ペアリング用のアプリケーションを起動して、通信ネットワーク３を通じて接続が可能な機器を検索し（Ｓ１０１）、各機器の固有情報を取得する（Ｓ１０２）。ステップＳ１０２では、処理部１１は、各機器に固有情報を要求するコマンドを第１通信部１４１から送信し、各機器は記憶している固有情報を携帯通信装置１へ送信する。固有情報は、各機器のＭＡＣアドレス、型番、機種名、又はシリアルナンバー等、各機器に固有の情報である。このとき、テレビジョン受信機２は、記憶部２５に記憶している固有情報を、通信ネットワーク３を介して携帯通信装置１へ送信する。
【００３３】
処理部１１は、次に、受信した各機器の固有情報に基づいて、通信ネットワーク３を通じて接続が可能な機器の中からテレビジョン受信機２を特定する（Ｓ１０３）。例えば、処理部１１は、ステップＳ１０３で、受信した固有情報に含まれる機種名に基づいて、各機器がテレビジョン受信機２であるか否かを特定する。また例えば、記憶部１５はテレビジョン受信機の型番のリストを予め記憶しておき、処理部１１は、受信した固有情報に含まれる型番とリストとを対照して、テレビジョン受信機２を特定する。また例えば、処理部１１は、第２通信部１４２を用いて、又は通信ネットワーク３を介して、外部の通信ネットワークに接続し、図示しない所定のデータベースに記憶された情報と受信した固有情報とを対照して、テレビジョン受信機２を特定する。処理部１１は、次に、通信ネットワーク３を通じて接続が可能な機器の中にテレビジョン受信機２が存在するかを判定する（Ｓ１０４）。テレビジョン受信機２が存在しない場合は（Ｓ１０４：ＮＯ）、処理部１１は、コンテンツデータを送信することなく処理を終了する。
【００３４】
ステップＳ１０４でテレビジョン受信機２が存在する場合は（Ｓ１０４：ＹＥＳ）、処理部１１は、各テレビジョン受信機２へ、固有情報を示す電子透かしを含む音声の出力を指示するコマンドを送信する（Ｓ１０５）。テレビジョン受信機２は、通信ネットワーク３を通じて送信されたコマンドを通信部２４で受信する。電子透かし生成部２１１は、記憶部２５で記憶する固有情報を示す電子透かしを含んだ音声を表す音声信号を生成し、処理部２１は、生成された音声信号に基づいた音声をスピーカ部２３に出力させる。このように、各テレビジョン受信機２の固有情報を示す電子透かしを含む音声が各テレビジョン受信機２から出力される。処理部１１は、ステップＳ１０５で、各テレビジョン受信機２に同一音量での電子透かしの出力を指示し、テレビジョン受信機２は、電子透かしを同一音量で出力する。多くの場合、電子透かしに対応する音声は、放送番組の音声等の他の音声に混じって出力される。但し、テレビジョン受信機２がテレビジョン放送を受信していない場合等、電子透かしの音声のみが出力される場合もある。通常、電子透かしに対応する音声は可聴周波数領域外の周波数で出力され、使用者の耳には、電子透かしの感知は困難になっている。
【００３５】
携帯通信装置１は、テレビジョン受信機２が出力した音声をマイク部１６で取得する（Ｓ１０６）。マイク部１６は、取得した音声を電気信号に変換した音声信号を処理部１１へ入力し、電子透かし検出部１１１は、音声信号から電子透かしのデータを抽出し、電子透かしが示す情報を復号することにより、電子透かしを検出する（Ｓ１０７）。処理部１１は、次に、通信ネットワーク３を介して取得した固有情報と検出した電子透かしが示す固有情報とを比較し、固有情報が一致したテレビジョン受信機２が存在するか否かを判定する（Ｓ１０８）。この判定の処理により、処理部１１は、固有情報が一致したテレビジョン受信機２を特定する。固有情報が一致したテレビジョン受信機２が存在しない場合は（Ｓ１０８：ＮＯ）、処理部１１は、通信ネットワーク３を通じて接続が可能なテレビジョン受信機２のリストを表示部１２に表示させる（Ｓ１０９）。
【００３６】
図５は、テレビジョン受信機２のリストの例を示す模式図である。接続可能な機器として、テレビジョン受信機２の機種名が縦に並んで表示されている。各テレビジョン受信機２を区別するための情報として、機種名以外の情報が表示されてもよい。ＰＣ及びレコーダ等のテレビジョン受信機２以外の機器の機種名も表示されており、テレビジョン受信機２の優先順位が他の機器よりも高くなるように、テレビジョン受信機２の機種名は他の機器よりも上位に表示される。なお、携帯通信装置１は、テレビジョン受信機２以外の機器の情報を表示しない形態であってもよい。
【００３７】
ステップＳ１０８で、固有情報が一致したテレビジョン受信機２が存在する場合は（Ｓ１０８：ＹＥＳ）、処理部１１は、固有情報が一致したテレビジョン受信機２が複数であるか否かを判定する（Ｓ１１０）。固有情報が一致したテレビジョン受信機２が単数である場合（Ｓ１１０：ＮＯ）、処理部１１は、固有情報が一致したテレビジョン受信機２を強調した上で、テレビジョン受信機２のリストを表示部１２に表示させる（Ｓ１１１）。図６は、固有情報が一致したテレビジョン受信機２を強調したリストの例を示す模式図である。図６には、「テレビＢ」の固有情報が一致した例を示している。固有情報が一致した「テレビＢ」の機種名がリスト上の最上位に表示されることによって、固有情報が一致したテレビジョン受信機２がリスト中で強調されている。なお、機種名をハイライト表示する、表示色を変更する、又は強調用のマークを付加して表示する等、その他の方法で、固有情報が一致したテレビジョン受信機２を強調してもよい。
【００３８】
ステップＳ１１０で、固有情報が一致したテレビジョン受信機２が複数である場合（Ｓ１１０：ＹＥＳ）、処理部１１は、各テレビジョン受信機２の固有情報を示す電子透かしに対応する音声の音量を計算する（Ｓ１１２）。例えば、処理部１１は、電子透かし検出部１１１が検出した電子透かしに対応する信号の強度を計測し、計測した強度に基づいて電子透かしに対応する音声の音量を計算する。処理部１１は、次に、固有情報を示す電子透かしに対応する音声の音量が大きい順に、複数のテレビジョン受信機２に順位を付ける（Ｓ１１３）。携帯通信装置１に近い位置にあるテレビジョン受信機２であるほど、携帯通信装置１で取得される音声の音量は大きくなるので、テレビジョン受信機２は、順位が上位であるほど携帯通信装置１に近い位置に存在する。処理部１１は、次に、順位に応じて夫々のテレビジョン受信機２を強調した上で、テレビジョン受信機２のリストを表示部１２に表示させる（Ｓ１１４）。
【００３９】
図７は、順位に応じてテレビジョン受信機２を強調したリストの例を示す模式図である。図７には、「テレビＢ」からの音量が最大で、「テレビＣ」からの音量が次に大きい例を示している。順位に応じてテレビジョン受信機２のリストがソートされ、順位の高いテレビジョン受信機２ほどリスト中で上位に表示されている。また、順位が高いほど強調の度合いを上げたアンテナのマークを機種名に付加して表示することにより、順位に応じたテレビジョン受信機２の強調が行われている。なお、ハイライト表示等のその他の方法で強調を行ってもよい。携帯通信装置１から近いテレビジョン受信機２ほど上位の順位になるので、順位に応じた強調が行われることで、携帯通信装置１から近いテレビジョン受信機２が容易に判別可能になる。
【００４０】
ステップＳ１０９、ステップＳ１１１又はステップＳ１１４が終了した後は、処理部１１は、通信ネットワーク３を通じて接続が可能なテレビジョン受信機２の中から、コンテンツデータの送信対象として一つのテレビジョン受信機２を選択する（Ｓ１１５）。例えば、表示部１２に表示されたリストを確認した使用者が入力部１８を操作することによって、送信対象のテレビジョン受信機２が指定され、処理部１１は、指定されたテレビジョン受信機２を送信対象として選択する。リスト中では、携帯通信装置１から最も近いテレビジョン受信機２が強調されているので、使用者は、リスト中のテレビジョン受信機２と実際に使用者に近い位置にあるテレビジョン受信機２との対応付けを容易に行うことができる。このため、使用者は、目の前にあるテレビジョン受信機２等の最も近いテレビジョン受信機２を、コンテンツデータの送信対象として容易に指定することができる。なお、ステップＳ１１５で、処理部１１は、順位が最上位のテレビジョン受信機２を自動で送信対象として選択する処理を行ってもよい。また、処理部１１は、ステップＳ１１１の後で、固有情報が一致したテレビジョン受信機２を自動で送信対象として選択する処理を行ってもよい。
【００４１】
処理部１１は、次に、選択したテレビジョン受信機２へ記憶部１５に記憶しているコンテンツデータを送信することを開始する（Ｓ１１６）。ステップＳ１１６では、処理部１１は、必要なデータを記憶部１５から読み出し、第１通信部４１から、選択したテレビジョン受信機２へ通信ネットワーク３を通じて送信する。テレビジョン受信機２は、通信ネットワーク３を通じて送信されたコンテンツデータを通信部２４で受信する。処理部２１は、コンテンツデータから映像信号及び音声信号を生成し、映像信号に基づいた映像を表示部２２に表示させ、音声信号に基づいた音声をスピーカ部２３に出力させる。このようにして、携帯通信装置１から送信されたコンテンツデータに基づいたコンテンツがテレビジョン受信機２で出力される。多くの場合、携帯通信装置１から最も近いテレビジョン受信機２でコンテンツの出力が行われ、携帯通信装置１の使用者はコンテンツを観賞することができる。なお、携帯通信装置１が送信するデータは、記憶部１５に記憶しているコンテンツデータに限るものではなく、処理部１１が生成したデータであってもよく、第２通信部１４２で受信したデータであってもよい。以上で、携帯通信装置１は、データの送信対象のテレビジョン受信機２を選択する処理を終了し、コンテンツデータの送信を継続する。
【００４２】
携帯通信装置１は、テレビジョン受信機２へデータを送信している最中に、テレビジョン受信機２までの距離に応じて、データの送信対象を変更する処理を行う。図８は、携帯通信装置１がデータの送信対象を変更する処理の手順を示すフローチャートである。携帯通信装置１は、テレビジョン受信機２へデータを送信する処理と並行して、以下の処理を実行する。携帯通信装置１の処理部１１は、データを送信している対象のテレビジョン受信機２へ、固有情報を示す電子透かしを含む音声の出力を指示するコマンドを送信する（Ｓ２０１）。テレビジョン受信機２の処理部２１は、コンテンツ中に電子透かしを含ませた音声を表す音声信号を生成し、生成した音声信号に基づいた音声をスピーカ部２３に出力させる。このときテレビジョン受信機２が出力する音声コンテンツには、電子透かしに対応する音声が含まれている。
【００４３】
携帯通信装置１は、テレビジョン受信機２が出力した音声をマイク部１６で取得する（Ｓ２０２）。マイク部１６は音声を電気信号に変換し、電子透かし検出部１１１は、音声信号から電子透かしを検出し（Ｓ２０３）、処理部１１は、検出した電子透かしに対応する音声の音量を計算する（Ｓ２０４）。処理部１１は、計算した音量と記憶部１５に記憶してある音量とを比較し、記憶してある音量に比べて計算した音量が所定量以上減少しているか否かを判定する（Ｓ２０５）。所定量の値は、予め記憶部１５に記憶されている。なお、ステップＳ２０５で用いられる所定量は、テレビジョン受信機２に記憶されており、データの送信対象のテレビジョン受信機２から携帯通信装置１が必要に応じて読み出してもよい。また、音量が記憶部１５に記憶されていない場合は、処理部１１は後述のステップＳ２０６へ処理を進める。
【００４４】
音量が所定量以上は減少していない場合は（Ｓ２０５：ＮＯ）、処理部１１は、ステップＳ２０４で計算した音量を示すデータを記憶部１５に記憶させる（Ｓ２０６）。ステップＳ２０６では、記憶容量を有効に利用するために、音量のデータは上書きされることが望ましい。処理部１１は、次に、電子透かしを含む音声を取得してから所定時間が経過したか否かを判定する（Ｓ２０７）。処理部１１は、時間を計測する機能を備えている。なお、携帯通信装置１は、処理部１１とは別に計時部を備えていてもよい。所定時間がまだ経過していない場合は（Ｓ２０７：ＮＯ）、処理部１１は待機する。所定時間が経過した場合は（Ｓ２０７：ＹＥＳ）、処理部１１は、処理をステップＳ２０１へ戻す。なお、携帯通信装置１は、ステップＳ２０６が終了した後、ステップＳ２０７を実行せずに直ぐにステップＳ２０１へ処理を戻す形態であってもよい。また、携帯通信装置１は、時間の経過を測定するのではなく、毎時毎分等の所定の時刻になった場合に処理をステップＳ２０１へ戻す形態であってもよい。
【００４５】
ステップＳ２０５で音量が所定量以上減少している場合は（Ｓ２０５：ＹＥＳ）、処理部１１は、通信ネットワーク３を介して接続が可能な複数のテレビジョン受信機２へ、固有情報を示す電子透かしを含む音声の出力を指示するコマンドを送信する（Ｓ２０８）。夫々のテレビジョン受信機２は、電子透かしを含む音声を出力する。このとき、複数のテレビジョン受信機２は、電子透かしを同一音量で出力する。携帯通信装置１は、複数のテレビジョン受信機２が出力した音声をマイク部１６で取得する（Ｓ２０９）。マイク部１６は音声を電気信号に変換し、電子透かし検出部１１１は、音声信号から複数の電子透かしを検出し（Ｓ２１０）、処理部１１は、検出した夫々の電子透かしに対応する音声の音量を計算する（Ｓ２１１）。処理部１１は、次に、各テレビジョン受信機２の固有情報を示す電子透かしに対応する音声の音量が大きい順に、複数のテレビジョン受信機２に順位を付ける（Ｓ２１２）。
【００４６】
処理部１１は、次に、順位が最上位のテレビジョン受信機２は、現在のデータ送信対象のテレビジョン受信機２であるか否かを判定する（Ｓ２１３）。最上位のテレビジョン受信機２が現在のデータ送信対象である場合は（Ｓ２１３：ＹＥＳ）、処理部１１は、処理をステップＳ２０１へ戻す。最上位のテレビジョン受信機２が現在のデータ送信対象ではない場合は（Ｓ２１３：ＮＯ）、処理部１１は、データの送信対象を、順位が最上位のテレビジョン受信機２へ変更する（Ｓ２１４）。以降、携帯通信装置１は、変更した送信対象のテレビジョン受信機２へコンテンツデータを送信し、コンテンツを出力するテレビジョン受信機２が変更される。以上で、携帯通信装置１は、データの送信対象を変更する処理を終了する。データの送信対象が変更された後、携帯通信装置１は、テレビジョン受信機２へデータを送信する処理と並行して、ステップＳ２０１以降の処理を繰り返す。
【００４７】
以上詳述した如く、本実施の形態においては、携帯通信装置１がデータを送信できるテレビジョン受信機２と設置されている実際のテレビジョン受信機２とを容易に対応させることができる。特に、使用者は、携帯通信装置１からデータを送信することができる複数のテレビジョン受信機２の中から携帯通信装置１に最も近いテレビジョン受信機２を容易に判別することが可能となる。このため、使用者は、複数のテレビジョン受信機２の中から最も近いテレビジョン受信機２を選んでコンテンツを出力させることを容易に行うことが可能となり、コンテンツ出力システムの利便性が向上する。
【００４８】
また、本実施の形態においては、携帯通信装置１は、最も近いテレビジョン受信機２を繰り返し判定し、最も近いテレビジョン受信機２へデータを送信する。携帯通信装置１を保持する使用者が移動した場合、携帯通信装置１に最も近いテレビジョン受信機２が変わることがある。本実施の形態では、携帯通信装置１に最も近いテレビジョン受信機２が変わった場合、データの送信対象は、新しく携帯通信装置１に最も近くなったテレビジョン受信機２へ変更される。データの送信対象が変更されることで、常時、携帯通信装置１に最も近いテレビジョン受信機２でコンテンツが出力されることになり、使用者は、コンテンツの観賞を継続することができる。
【００４９】
また、本実施の形態においては、テレビジョン受信機２が固有情報を示す電子透かしを含んだ音声を出力する形態を示したが、本発明は、その他の方法でテレビジョン受信機２が個別のコンテンツを出力する形態であってもよい。例えば、携帯通信装置１は、ステップＳ１０５で、個別に付した番号等の各テレビジョン受信機２で異なる個別情報をコマンドと共に送信し、テレビジョン受信機２は、受信した個別情報を示す電子透かしを含んだ音声を出力する形態であってもよい。この形態においても、各テレビジョン受信機２からの電子透かしが示す情報は異なり、携帯通信装置１がデータを送信できるテレビジョン受信機２と設置されている実際のテレビジョン受信機２とを容易に対応させることができる。
【００５０】
（実施の形態２）
実施の形態２に係るコンテンツ出力システムの構成は、実施の形態１と同様である。本実施の形態では、携帯通信装置１は、各テレビジョン受信機２へ、固有情報を示す音声信号の出力を指示するコマンドを送信し、テレビジョン受信機２は、電子透かしを使わずに、固有情報を示す音声を出力する。例えば、ダイヤルトーンのように音程の組み合わせで情報を表現する音声、人間の声で情報の内容を表す音声、又は所定の周波数帯域の音声を変調して情報を表現する音声が出力される。使用者は、固有情報を示す音声がテレビジョン受信機２から出力されたことを自分の耳で確認することができる。なお、テレビジョン受信機２は、固有情報以外の個別の情報を示す音声を出力してもよい。携帯通信装置１は、ステップＳ１０７で、取得した音声から個別の情報を抽出する処理を行う。以降の処理は実施の形態１と同様である。ステップＳ２０１〜Ｓ２１４の処理でも、テレビジョン受信機２は、電子透かしを使わずに、個別の情報を示す音声信号を出力する。
【００５１】
本実施の形態においても、携帯通信装置１がデータを送信できるテレビジョン受信機２と設置されている実際のテレビジョン受信機２とを容易に対応させることができる。使用者は、容易に、最も近いテレビジョン受信機２にコンテンツを出力させることができる。
【００５２】
なお、以上の実施の形態１及び２においては、本発明の出力装置はテレビジョン受信機２であるとしたが、本発明の出力装置は、音声を出力できる装置であればその他の装置であってもよい。例えば、本発明の出力装置は、オーディオ装置であってもよい。
【００５３】
（実施の形態３）
実施の形態３に係るコンテンツ出力システムの構成は、実施の形態１と同様である。本実施の形態では、携帯通信装置１は、各テレビジョン受信機２へ、固有情報を示す映像の出力を指示するコマンドを送信する。テレビジョン受信機２の電子透かし生成部２１１は、固有情報を示す電子透かしを含んだ映像を表す映像信号を生成し、処理部２１は、映像信号に基づいた映像を表示部２２に表示させる。なお、テレビジョン受信機２は、電子透かしを使わずに固有情報を示す映像を表示してもよい。例えば、テレビジョン受信機２は、固有情報を示すバーコード若しくはＱＲコード(登録商標)を含む映像、又は固有情報を文字で示した映像を表示してもよい。また、テレビジョン受信機２は、固有情報以外の個別の情報を示す映像を表示してもよい。
【００５４】
携帯通信装置１は、ステップＳ１０６で、音声の代わりに、カメラ部１７を利用して、テレビジョン受信機２が表示した映像を取得する。カメラ部１７は、取得した映像を電気信号に変換した映像信号を処理部１１へ入力し、ステップＳ１０７で、電子透かし検出部１１１は、映像信号から電子透かしのデータを抽出し、電子透かしが示す情報を復号する。電子透かしが用いられない場合は、携帯通信装置１は、ステップＳ１０７で、取得した映像から個別の情報を抽出する処理を行う。携帯通信装置１から最も近いテレビジョン受信機２で表示された映像が携帯通信装置１で取得され、他のテレビジョン受信機２で表示された映像は取得されることが無い。携帯通信装置１は、ステップＳ１１０〜Ｓ１１４の処理を実行せず、ステップＳ１１５で、取得した映像を表示したテレビジョン受信機２を、データの送信対象として選択する。
【００５５】
本実施の形態においても、携帯通信装置１に最も近いテレビジョン受信機２を容易に判別し、このテレビジョン受信機２へ携帯通信装置１からデータを送信してコンテンツを出力させることができる。
【００５６】
なお、本実施の形態においては、本発明の出力装置はテレビジョン受信機２であるとしたが、本発明の出力装置は、映像を表示できる装置であればその他の装置であってもよい。例えば、本発明の出力装置は、ディスプレイ装置又はＰＣであってもよい。
【００５７】
また、以上の実施の形態１〜３においては、携帯通信装置１からテレビジョン受信機２へ通信ネットワーク３を介してデータを送信する形態を示したが、コンテンツ出力システムは、携帯通信装置１からテレビジョン受信機２へ直接の通信でコンテンツデータを送信する形態であってもよい。
【符号の説明】
【００５８】
１  携帯通信装置
１１  処理部
１１１  電子透かし検出部
１２  表示部
１４１  第１通信部
１４２  第２通信部
１５  記憶部
１６  マイク部
１７  カメラ部
２  テレビジョン受信機（出力装置）
２１  処理部
２１１  電子透かし生成部
２２  表示部
２３  スピーカ部
２４  通信部
２５  記憶部
３  通信ネットワーク
【図１】
2013225809.tif 000003
【図２】
2013225809.tif 000004
【図３】
2013225809.tif 000005
【図４】
2013225809.tif 000006
【図５】
2013225809.tif 000007
【図６】
2013225809.tif 000008
【図７】
2013225809.tif 000009
【図８】
2013225809.tif 000010